(57)【要約】【課題】本発明は、引き出し式固定構造を提供する。【解決手段】本発明の引き出し式固定構造は、上表面及び側面を有する中空の直方体であり、前端には開口が設けられ、側面の前記開口に近い箇所には貫通孔が設けられたケースと、開口からケース内に収容され、開口に近い部分とケースの上表面との間に収容空間を形成する被取付部材と、被取付部材に回転可能に枢着され且つ前記収容空間に収容される旋回部材と、を備え、旋回部材は細長い外形を有し、旋回部材の一端にはケースの貫通孔を貫くラッチングタブが設けられ、旋回部材の一端にはラッチング部材が枢着され、ラッチング部材の外端はケースの貫通孔を貫き、第一弾性部材が旋回部材内に設けられてラッチング部材の内端に当接し、ラッチング部材の外端がケースの貫通孔の開口側内端に当接して、ラッチング部材を旋回部材に対して回転させて、被取付部材はケースの内部に向かう作用力を受ける。【選択図】図１
2012005833.tif 000002
【特許請求の範囲】
【請求項１】
上表面及び前記上表面に接続される側面を有する中空の直方体であり、前端には開口が設けられ、前記側面の前記開口に近い箇所には貫通孔が設けられたケースと、
前記開口から前記ケース内に収容され、前記開口に近い部分と前記ケースの上表面との間に収容空間を形成する被取付部材と、
前記被取付部材に回転可能に枢着され、且つ前記収容空間に収容される旋回部材と、
を備えてなる引き出し式固定構造であって、
前記旋回部材は、細長い外形を有し、その一端には前記ケースの貫通孔を貫くラッチングタブが設けられ、前記旋回部材の前記ラッチングタブが設けられた一端にはラッチング部材が枢着され、前記ラッチング部材の外端は前記ケースの貫通孔を貫き、第一弾性部材が前記旋回部材内に設けられて前記ラッチング部材の内端に当接し、
前記被取付部材を前記ケース内に収容した際、前記ラッチング部材の外端が前記ケースの貫通孔の開口側内端に当接して、前記ラッチング部材が前記旋回部材に対して回転して、前記被取付部材が前記ケースの内部に向かう作用力を受けることを特徴とする引き出し式固定構造。
【請求項２】
前記旋回部材の他端には係合フックが設けられ、前記ケースの上表面から前記ケースの内部に向かって固定柱が突出し、前記旋回部材の係合フックは前記固定柱に掛けられることを特徴とする請求項１に記載の引き出し式固定構造。
【請求項３】
前記旋回部材の他端にはロッキング部材が枢着され、前記係合フックは前記ロッキング部材の一端に設けられ、第二弾性部材が前記旋回部材内に設けられて前記ロッキング部材の他端に当接して、これにより前記係合フックが前記固定柱から係脱することを免れることを特徴とする請求項２に記載の引き出し式固定構造。
【請求項４】
前記旋回部材は、垂直平板と、前記垂直平板の長手方向の２つの側辺から前記被取付部材の後端に向かって延在する２つの水平板と、を備え、２つの前記水平板は対向して設置され、前記ラッチング部材は２つの前記水平板の間に位置することを特徴とする請求項１に記載の引き出し式固定構造。
【請求項５】
前記ラッチングタブは各々の前記水平板の端末に形成されて、２つの前記ラッチングタブは上下方向に対向して設置され、前記ラッチング部材の外端は２つの前記ラッチングタブの間に位置することを特徴とする請求項４に記載の引き出し式固定構造。
【請求項６】
前記被取付部材の上面には回転軸が突出し、前記旋回部材の２つの水平板には枢着孔が設けられ、前記ラッチング部材にも枢着孔が設けられ、前記回転軸が前記旋回部材の２つの水平板の枢着孔及び前記旋回部材の２つの水平板の枢着孔の間に位置する前記ラッチング部材の枢着孔を貫くことを特徴とする請求項４に記載の引き出し式固定構造。
【請求項７】
前記第一弾性部材は、２つのアームを有するねじりバネであり、
前記ラッチング部材の内端には、前記ねじりバネの１つのアームを収容する凹部が設けられ、
前記旋回部材の２つの水平板の間にはリブが設けられ、前記リブは２つの前記水平板に直交し、前記ねじりバネの他の１つのアームは前記リブに当接することを特徴とする請求項４に記載の引き出し式固定構造。
【発明の詳細な説明】
【技術分野】
【０００１】
本発明は、引き出し式固定構造に関するものである。
【背景技術】
【０００２】
引き出し式固定構造は、一般的に被取付部材をケースの内部に取り付けるために用いられる。便利に取り付けるために、前記被取付部材に旋回部材を枢着する。前記旋回部材の一端は前記ケースに枢着され、前記旋回部材のその一端に近い箇所は前記被取付部材に枢着され、前記旋回部材の他端を前記被取付部材に向かって移動させると、前記被取付部材は前記旋回部材に連動して前記ケースの内部に向かって移動し、従って前記被取付部材は前記ケースの内部に取り付けられる。
【０００３】
しかし、前記被取付部材と前記ケースとの間には設計及び製造公差が存在するので、これらの公差が累積すると、前記被取付部材の後端と前記ケースの後端との間には隙間が存在し、もし前記被取付部材の後端及び前記ケースの後端が電気回路によって接続される場合、電気的に接続されない現象が発生する。又、前記隙間が存在するので、前記被取付部材は前記ケースの内部において可動となり、運送過程において、前記ケースが震動を受けると、前記被取付部材と前記ケースとが衝突して、前記被取付部材が損傷される可能性がある。
【発明の概要】
【発明が解決しようとする課題】
【０００４】
本発明の目的は、前記課題を解決し、緊密に接続する引き出し式固定構造を提供することである。
【課題を解決するための手段】
【０００５】
前記目的を達成するため、本発明に係る引き出し式固定構造は、上表面及び前記上表面に接続される側面を有する中空の直方体であり、前端には開口が設けられ、前記側面の前記開口に近い箇所には貫通孔が設けられたケースと、前記開口から前記ケース内に収容され、前記開口に近い部分と前記ケースの上表面との間に収容空間を形成させる被取付部材と、前記被取付部材に回転可能に枢着され、且つ前記収容空間に収容される旋回部材と、を備える。前記旋回部材は、細長い外形を有し、その一端には前記ケースの貫通孔を貫くラッチングタブが設けられ、前記旋回部材の前記ラッチングタブが設けられた一端にはラッチング部材が枢着され、前記ラッチング部材の外端は前記ケースの貫通孔を貫く。第一弾性部材が前記旋回部材内に設けられて前記ラッチング部材の内端に当接する。前記ラッチング部材の外端を前記ケースの貫通孔の開口側内端に当接させて、前記ラッチング部材を前記旋回部材に対して回転させることにより、前記被取付部材は前記ケースの内部に向かう作用力を受ける。
【発明の効果】
【０００６】
本発明に係る引き出し式固定構造において、被取付部材は常にケースの後端に向かう作用力を受けるので、前記ケースと前記被取付部材との間の公差累積による隙間が除去されて、前記被取付部材は前記ケースに緊密に接続する。
【図面の簡単な説明】
【０００７】
【図１】本発明の実施形態に係る引き出し式固定構造の分解図である。
【図２】図１に示す引き出し式固定構造の旋回部材の斜視図である。
【図３】図２に示す旋回部材の分解図である。
【図４】図３に示す旋回部材の別の視角から見た分解図である。
【図５】図１に示す引き出し式固定構造の組立過程を示す図である。
【図６】図１に示す引き出し式固定構造の組立過程を示す図である。
【図７】図１に示す引き出し式固定構造の斜視図である。
【発明を実施するための形態】
【０００８】
図１を参照すると、本発明の実施形態に係る引き出し式固定構造は、ケース１０と、被取付部材２０と、前記被取付部材２０に回転可能に枢着される旋回部材３０と、を備える。前記旋回部材３０は、前記被取付部材２０を前記ケース１０の内部に固定するために用いられる。
【０００９】
前記ケース１０は、中空の直方体であり、その内部に収容空間１２が形成される。前記ケース１０の前端には、開口１４が設けられる。前記ケース１０の長手方向の１つの側面における前記開口１４に近い箇所には、矩形の貫通孔１６が設けられる。前記貫通孔１６は、前記開口１４と互いに離間している。前記ケース１０の上表面における前記開口１４に近い前端には、固定孔１８が設けられる。前記固定孔１８は、前記ケース１０の上表面を貫いて前記収容空間１２と前記収容空間１２の外部とを連通させる。
【００１０】
前記被取付部材２０は、前記ケース１０の内部に取り付けられる物体、又は前記ケース１０の内部に取り付けられる物体を固定する固定架とすることもできる。前記被取付部材２０は、略直方体であり、その前端が下へ凹んでステップ２２を形成する。前記ステップ２２の上面における、前記ケース１０の貫通孔１６に対応する箇所には、回転軸２４が突設される。前記回転軸２４の頂部及び前記被取付部材２０の後端の上面は、同じ平面に位置する。
【００１１】
以下、図２〜図４を参照しながら前記旋回部材３０に対して説明するが、この説明において、図４における相対方向は、図２及び図３における旋回部材３０の方向を基準とする。
【００１２】
前記旋回部材３０は、細長い本体３１と、前記本体３１の一端に枢着されるロッキング部材３２と、前記本体３１の他端に枢着されるラッチング部材３３と、前記本体３１の両端に設けられる第二弾性部材３４及び第一弾性部材３５と、を備える。
【００１３】
前記本体３１は、垂直平板３１１と、前記垂直平板３１１の長手方向の２つの側辺から前記垂直平板３１１に直交するように同じ方向に向かって延在する２つの水平板３１２と、２つの前記水平板３１２に直交するように２つの前記水平板３１２の間に接続される第一リブ３１７及び第二リブ３１８と、を備える。２つの前記水平板３１２は、上下方向において互いに平行し、形状及び構造が同じである。各々の前記水平板３１２の両端は前記垂直平板３１１の長手方向の両側に突出する。各々の前記水平板３１２の一端には、ラッチングタブ３１３が設けられる。各々の前記水平板３１２の前記ラッチングタブ３１３に近い箇所には、枢着孔３１４及び取付孔３１５が設けられる。前記枢着孔３１４は、前記ラッチングタブ３１３と前記取付孔３１５との間に位置する。各々の前記水平板３１２の他端には、取付孔３１６が設けられる。２つの前記水平板３１２のラッチングタブ３１３、枢着孔３１４、取付孔３１５、及び取付孔３１６は、それぞれ上下方向において対応する。前記垂直平板３１１の前記ラッチングタブ３１３に近い一端には、係合突出部３１９が設けられる。前記第一リブ３１７は、前記本体３１の前記ロッキング部材３２を設置する一端に位置する。前記第一リブ３１７は前記垂直平板３１１に平行し、前記第一リブ３１７及び前記垂直平板３１１は、前記水平板３１２の対向する両側に接続される。前記第二リブ３１８は、前記本体３１の前記ラッチング部材３３を設置する一端に位置する。前記第二リブ３１８は、前記垂直平板３１１に直交する。前記第一リブ３１７及び前記第二リブ３１８は、前記本体３１の機械強度を強めることができる。
【００１４】
前記ロッキング部材３２は、略Ｓ字状であり、係合フック３２６を有するロッキング端３２２及び自由端３２４を備える。前記ロッキング端３２２及び前記自由端３２４の接続箇所には、前記ロッキング部材３２の上下表面を貫く枢着孔３２０が設けられる。前記自由端３２４は、前記係合フック３２６の延在方向に対して反対方向に向かって斜めに延在する。前記ロッキング部材３２の前記係合フック３２６が設けられている片側には、係合スロット３２８が設けられる。
【００１５】
前記ラッチング部材３３は、六角形断面を有する塊状であり、内端３３３及び外端３３４を備える。前記内端３３３及び前記外端３３４の接続箇所には、前記ラッチング部材３３の上下表面を貫く枢着孔３３０が設けられる。前記ラッチング部材３３の内端３３３の片側には、前記ラッチング部材３３の内部へ凹んで形成される凹部３３２が設けられる。
【００１６】
前記第二弾性部材３４及び前記第一弾性部材３５は、全てねじりばねである。前記第二弾性部材３４は、螺旋状のばね主体部３４２と、前記ばね主体部３４２から外へ延設される２つのアーム３４３及び３４４と、を備える。前記主体部３４２の中央には中心孔３４０が設けられる。前記第一弾性部材３５は、螺旋状のばね主体部３５２と、前記ばね主体部３５２から外へ延設される２つのアーム３５３及び３５４と、を備える。前記主体部３５２の中央には中心孔３５０が設けられる。
【００１７】
前記第二弾性部材３４を前記ロッキング部材３２の係合スロット３２８に収容してから、前記ロッキング部材３２を前記旋回部材３０の一端の２つの前記水平板３１２の間に設置して、前記第二弾性部材３４の中心孔３４０と、前記ロッキング部材３２の枢着孔３２０と、前記本体３１の２つの水平板３１２の取付孔３１６とを位置合わせする。次いで、固定軸４０を、前記本体３１の２つの水平板３１２の取付孔３１６と、前記ロッキング部材３２の枢着孔３２０と、前記第二弾性部材３４の中心孔３４０とに貫かせて、前記ロッキング部材３２を前記本体３１の一端に枢着する。
【００１８】
前記第二弾性部材３４のアーム３４３は、前記係合スロット３２８における前記ロッキング部材３２の自由端３２４に近い内側に当接し、前記第二弾性部材３４のアーム３４４は、前記係合スロット３２８から露出して前記第一リブ３１７の前記垂直平板３１１に向かう片側に当接する。図２に示したように、自然状態において前記第二弾性部材３４の作用により、前記ロッキング部材３２は前記固定軸４０を中心として回転する。これにより、前記ロッキング部材３２の自由端３２４は前記本体３１から離れ、前記ロッキング部材３２の係合フック３２６は前記本体３１に近付く。もし前記ロッキング部材３２の自由端３２４を人為的に前記垂直平板３１１に向かって移動させると、前記ロッキング部材３２の係合フック３２６は時計方向に沿って前記本体３１から離れる。
【００１９】
前記第一弾性部材３５を前記本体３１の２つの水平板３１２の間に設置し、前記第一弾性部材３５の中心孔３５０及び前記本体３１の２つの水平板３１２の取付孔３１５を合わせてから、固定軸５０を前記本体３１の２つの水平板３１２の取付孔３１５及び前記第一弾性部材３５の中心孔３５０に貫かせて、前記第一弾性部材３５を前記本体３１に固定する。
【００２０】
前記ラッチング部材３３を前記本体３１の２つの水平板３１２の間に設置し、且つ前記ラッチング部材３３の枢着孔３３０と前記本体３１の２つの水平板３１２の枢着孔３１４とを位置合わせすると、前記第一弾性部材３５のアーム３５４は、前記凹部３３２に収容され、且つ前記凹部３３２の前記垂直平板３１１から離れている内壁に当接し、前記第一弾性部材３５のアーム３５３は、前記第二リブ３１８に当接する。
【００２１】
前記旋回部材３０を前記被取付部材２０に取り付ける場合、前記被取付部材２０の回転軸２４は、前記本体３１の２つの水平板３１２の枢着孔３１４及び前記ラッチング部材３３の枢着孔３３０を貫く。これにより前記旋回部材３０の本体３１は前記ラッチング部材３３とともに前記被取付部材２０に回転可能に枢着する。自然状態において前記第一弾性部材３５の作用により、前記ラッチング部材３３の内端３３３は前記被取付部材２０の後端に向かって移動し、前記ラッチング部材３３の外端３３４は前記被取付部材２０の前端に向かって突出して、前記ラッチングタブ３１３と互いにずれる（図２を参照）。
【００２２】
図５に示したように、前記被取付部材２０を前記ケース１０の内部に取り付ける場合、前記ロッキング部材３２が前記被取付部材２０から離れるように、前記旋回部材３０を回転させて、前記旋回部材３０を前記被取付部材２０の前端に直交させる。次いで前記被取付部材２０を前記旋回部材３０とともに前記ケース１０の開口１４から前記ケース１０の内部に推進する。前記旋回部材３０の係合突出部３１９が前記ケース１０の前端の側面に当接し、前記旋回部材３０のラッチングタブ３１３が前記ケース１０の貫通孔１６の内側に位置したところで、固定柱６０を前記ケース１０の固定孔１８に挿入する。前記固定柱６０が前記ケース１０の固定孔１８から前記収容空間１２に突出する長さは、前記被取付部材２０のステップ２２の上面と前記ケース１０の上側内表面との間の距離を超えない。
【００２３】
図６に示したように、前記ロッキング部材３２が前記被取付部材２０に近づくように前記旋回部材３０が旋回すると、前記旋回部材３０のラッチングタブ３１３は前記ケース１０の貫通孔１６に嵌り込む。続いて、前記旋回部材３０が旋回すると、前記旋回部材３０のラッチングタブ３１３が前記ケース１０の貫通孔１６の開口側内端に当接する。外力を印加して前記ロッキング部材３２の自由端３２４を時計方向に移動させると、前記ロッキング部材３２の係合フック３２６もまた時計方向に沿って移動する。次いで、前記係合フック３２６が前記固定柱６０を避けるように、前記旋回部材３０の垂直平板３１１と前記被取付部材２０の前面とを同じ平面に位置させた状態で、図７に示したように、前記ロッキング部材３２の自由端３２４に印加する外力を除去する。すると、前記第二弾性部材３４の弾力により、前記ロッキング部材３２の係合フック３２６は反時計方向に移動して、前記固定柱６０に掛かる。従って前記被取付部材２０が前記ケース１０の内部に取り付けられる。前記第二弾性部材３４のアーム３４３及び３４４の間に張力が存在するため、前記ロッキング部材３２は非人為的に時計方向に沿って回転することから免れ、従って前記ロッキング部材３２の係合フック３２６は前記固定柱６０から係脱することから免れる。
【００２４】
前記ロッキング部材３２が前記被取付部材２０に近づくように、前記旋回部材３０が旋回している際、前記ラッチング部材３３の外端３３４は前記旋回部材３０のラッチングタブ３１３とともに前記ケース１０の貫通孔１６に嵌り込む。続いて、前記旋回部材３０が旋回すると、前記ラッチング部材３３の外端３３４は前記ケース１０の貫通孔１６の開口側内端に当接し、前記旋回部材３０のラッチングタブ３１３に対して時計方向に回転する。この際、前記第一弾性部材３５が圧縮されて、前記ラッチング部材３３の内端３３３を前記ケース１０の内部に向かって移動させる推力が発生し、従って前記ラッチング部材３３の外端３３４と前記ケース１０とが互いに押圧されて、前記ケース１０は前記ラッチング部材３３の外端３３４を前記ケース１０の後端に向かって移動させる押圧力を形成する。前記ラッチング部材３３は前記回転軸２４を介して前記被取付部材２０に接続されているので、前記押圧力によって前記被取付部材２０は前記ケース１０の後端に向かう作用力を受け、前記旋回部材３０は前記被取付部材２０と連動して前記ケース１０の内部に向かってさらに移動する。従って前記ケース１０と前記被取付部材２０との間の公差累積による隙間が除去されて、前記被取付部材２０の後端を常に前記ケース１０の後端に押し当て、前記被取付部材２０の後端を前記ケース１０に緊密に接続する。
【００２５】
本実施形態において、前記第一弾性部材３５はねじりばねである。しかし、前記第一弾性部材３５が圧縮される場合、前記ラッチング部材３３の内端３３３を前記ケース１０の後端に向かって移動させる推力を提供して、前記ラッチング部材３３の外端３３４を前記ケース１０の貫通孔１６の開口側内端に当接させ、前記ケース１０に前記ラッチング部材３３の外端３３４を前記ケース１０の後端に向かわせる押圧力を形成させ、これによって前記被取付部材２０が前記ケース１０の内部に向かう作用力を受けて、前記被取付部材２０の後端を前記ケース１０に緊密に接続することができるのであれば、前記第一弾性部材３５はねじりばねに限定されるものではない。
【００２６】
以上本発明を実施例に基づいて具体的に説明したが、本発明は上述の実施例に限定されるものではなく、その要旨から逸脱しない範囲において、種々変更可能であることは勿論であって、本発明の保護範囲は、以下の特許請求の範囲によって規定される。
【符号の説明】
【００２７】
１０  ケース
１２  収容空間
１４  開口
１６  貫通孔
１８  固定孔
２０  被取付部材
２２  ステップ
２４  回転軸
３０  旋回部材
３１  本体
３２  ロッキング部材
３３  ラッチング部材
３４  第二弾性部材
３５  第一弾性部材
４０，５０  固定軸
６０  固定柱
３１１  垂直平板
３１２  水平板
３１３  ラッチングタブ
３１４，３２０，３３０  枢着孔
３１５，３１６  取付孔
３１７  第一リブ
３１８  第二リブ
３１９  係合突出部
３２２  ロッキング端
３２４  自由端
３２６  係合フック
３２８  係合スロット
３３２  凹部
３３３  内端
３３４  外端
３４０，３５０  中心孔
３４２，３５２  主体部
３４３，３４４，３５３，３５４  アーム
【図１】
2012005833.tif 000003
【図２】
2012005833.tif 000004
【図３】
2012005833.tif 000005
【図４】
2012005833.tif 000006
【図５】
2012005833.tif 000007
【図６】
2012005833.tif 000008
【図７】
2012005833.tif 000009